(57)【要約】【課題】簡易な構成で確実に受板の向きを間違えることを防止できる画期的な引き出し式収納ケースを提供すること。【解決手段】受板２の中央開口部６に、複数の前記支柱１を分離自在に受板２と同時成形し、この受板２の中央開口部６から取り外した支柱１の下側の差し込み端部７を受板２上面側の差し込み係合部８に差し込み、上側の差し込み端部７をこの受板２の上側に配設する上側の受板２若しくは天板３の裏面側の差し込み係合部８に差し込み、引き出しケース５を収納する棚枠部となる本体部４を構築するように構成し、この受板２の前後の差し込み係合部８の形状を異ならせ、この前後に配設する支柱１の差し込み端部７の形状をこれに対応して前後で異ならせて、受板２の前後向きが正しい場合にだけこの差し込みができるように構成した引き出し式収納ケース。【選択図】図２
2014144143.tif 000002
【特許請求の範囲】
【請求項１】
前後左右の四隅に設けた支柱を介して受板を上下複数段設けた構成若しくは更に前記支柱を介して最上部に天板を設けた構成の本体部と、この本体部の前記受板間若しくは受板と天板との間に引き出し自在に設けた引き出しケースとから成る引き出し式収納ケースにおいて、前記受板の中央開口部に、複数の前記支柱を分離自在に前記受板と同時成形し、この受板と同時成形された支柱を受板の中央開口部から取り外し、この支柱の下側の差し込み端部を前記受板上面側の差し込み係合部に差し込み、上側の差し込み端部をこの受板の上側に配設する上側の受板若しくは前記天板の裏面側の差し込み係合部に差し込み前記本体部を組み付け構築するように構成し、少なくとも前記受板の前後の前記差し込み係合部の形状を異ならせると共に、前後に配設する前記支柱の差し込み端部の形状をこれに対応して前後で異ならせて、受板の各差し込み係合部にこれに対応した形状の差し込み端部を有する支柱を差し込み立設することで、上側の受板若しくは天板を前後逆に配しようとしても前記支柱の上側の差し込み端部の形状と差し込み係合部の形状とが合致しないために差し込めず、前後向きが正しい場合にこの差し込みができ組み付け構築できるように構成し、前記支柱及び前記受板の前後の差し込み係合部に、前記支柱の差し込み端部と前記受板の差し込み係合部との対応関係を示して各支柱の差し込み位置を識別させる差し込み対応関係表示を樹脂成形により表出する溝，孔，凹部若しくは凸部で形成したことを特徴とする引き出し式収納ケース。
【請求項２】
前記支柱の上側の差し込み端部の形状と下側の差し込み端部の形状を同一に設定すると共に、この各差し込み端部が差し込まれる前記受板の上面側の差し込み係合部と裏面側の差し込み係合部の形状を同一に設定したことを特徴とする請求項１記載の引き出し式収納ケース。
【請求項３】
前記受板の中央開口部の縁部にランナー部を設けて、この中央開口部内に架設状態に前記支柱を複数並設状態に設け、前記ランナー部は、前記中央開口部の縁部から先端側程径小となる膨出状態に突出する形状に設定した膨出先端部で構成し、この膨出先端部から直接若しくは更に先端側程径小となる小突起状の小ランナー部を介して前記支柱に溶融樹脂が支柱用キャビティーに注入され支柱が受板と同時に樹脂成形されるように構成し、このランナー部を前記膨出先端部により構成したことで、前記支柱を回動させることでこの膨出先端部若しくは膨出先端部に設けた小ランナー部の先端から切断分離され、この膨出先端部又は膨出先端部及び小ランナー部を前記受板の中央開口部の縁部に残したまま各支柱を取り外せるように構成したことを特徴とする請求項１記載の引き出し式収納ケース。
【請求項４】
前記受板の前後のいずれか一方の前記差し込み係合部、及びこれに差し込んで立設する支柱に、夫々同じ図形若しくは数字である前記差し込み対応関係表示を形成したことを特徴とする請求項１，２のいずれか１項に記載の引き出し式収納ケース。
【請求項５】
前記受板の前記差し込み端部が前記差し込み係合部内に差し込まれ、差し込み端部は差し込み係合部内に隠れるように構成し、前記差し込み対応関係表示を前記差し込み係合部の底部及び前記差し込み係合部内に隠れる前記差し込み端部に形成したことを特徴とする請求項１〜４のいずれか１項に記載の引き出し式収納ケース。
【発明の詳細な説明】
【技術分野】
【０００１】
本発明は、支柱を介して受板を上下複数段設けた本体部（棚枠部）の受板間に、引き出しケースを引き出し自在に設けた引き出し式収納ケースに関するものである。
【背景技術】
【０００２】
衣類や雑貨などを整理収納する引き出し式収納ケースは、一般に以下のような構成である。
【０００３】
前後左右の四隅に設けた支柱を介して受板（棚板）を上下複数段設け、更に支柱を介して最上部に天板を設けた構成の本体部（棚枠部）と、この本体部の前記受板間及び受板と天板との間に引き出し自在に設けた引き出しケースとから成る構成で、受板上に引き出しガイド部を設けて受板上に引き出しケースを引き出し自在に載置する構成、又は受板間の側部に引き出しガイド部を設けて受板上に浮上状態に引き出しケースを引き出し自在に構成している。
【０００４】
この受板の上面の前後左右四隅に支柱の下端の差し込み端部を差し込んで立設する差し込み係合部を設け、受板の裏面や天板の裏面にはこの支柱の上端の差し込み端部を差し込む差し込み係合部を設けて、この支柱を介して受板上に受板を複数段組み付け、最上部には天板を組み付けて本体部を組み付け構築する構成としている。
【０００５】
従来、このような引き出し式収納ケースでは、受板を樹脂形成する際に、材料削減や軽量化のために中央開口部を設けた枠板状に構成する場合があるが、生産効率を高め、また梱包や輸送の効率化のために、この受板の中央開口部スペースを利用し、この中央開口部間に支柱を架設状態にして分離自在に同時成形した構成としている。
【０００６】
即ち、この中央開口部間に例えばこの受板の前後左右の四隅に立設する支柱を並設状態にして受板と同時に樹脂成形し、本体部を組み立てる際には、この支柱を取り外して受板の四隅の差し込み係合部に順次差し込んで立設するように構成している。
【０００７】
しかしながら、支柱の前後左右に区別を付けずに、いずれの支柱もいずれの差し込み係合部に差し込み係合して本体部を組み付け構築できるようにした場合、組み立て作業をスピーディーに行えるが受板の前後向きを逆向きに組み付けてしまう場合がある。
【０００８】
受板には前述のように引き出しガイド部を設け、またストッパー部を設けるなどする構成のため、前後逆向きに取り付けてしまうと引き出しケースを引き出し自在に設けることができない場合がある。
【０００９】
そのため、受板の前後向きを間違えないように受板の前側を示す表示を施したりしているものもあるが、目立つ表示にすることがためらわれるために、受板の前後向きを間違えて組み付けてしまうことを完全に防止できていない。
【００１０】
特に支柱を圧入係合したり、抜け止め係止部により嵌め殺し係合させる構成である場合には、もしこのように受板を一旦逆向きに組み付けてしまうと、再び支柱を抜き取り受板の向きを正しく直すことは容易でない。
【発明の概要】
【発明が解決しようとする課題】
【００１１】
本発明は、このような現状に鑑み、支柱や差し込み係合部の形状を前後で異ならせ、支柱の差し込み端部もこれに対応させてすべて同一形状とせず、前後では異なる形状とし、そして、その対応関係がわかるように差し込み対応関係表示を樹脂成形によって形成して、この差し込み対応関係表示を確認しながら、その対応する受板の差し込み係合部に差し込んで立設すれば、その支柱上端部の差し込み端部に受板の差し込み係合部を差し込んで受板を組み付けると常に正しい向きに組み付けでき、誤って逆向きに組み付けようとしても組み付けできないようにして、簡易な構成で効率良く支柱及び差し込み対応関係表示を形成でき、受板の向きを間違えることも確実にして容易に防止できる画期的な引き出し式収納ケースとなる。
【課題を解決するための手段】
【００１２】
添付図面を参照して本発明の要旨を説明する。
【００１３】
前後左右の四隅に設けた支柱１を介して受板２を上下複数段設けた構成若しくは更に前記支柱１を介して最上部に天板３を設けた構成の本体部４と、この本体部４の前記受板２間若しくは受板２と天板３との間に引き出し自在に設けた引き出しケース５とから成る引き出し式収納ケースにおいて、前記受板２の中央開口部６に、複数の前記支柱１を分離自在に前記受板２と同時成形し、この受板２と同時成形された支柱１を受板２の中央開口部６から取り外し、この支柱１の下側の差し込み端部７を前記受板２上面側の差し込み係合部８に差し込み、上側の差し込み端部７をこの受板２の上側に配設する上側の受板２若しくは前記天板３の裏面側の差し込み係合部８に差し込み前記本体部４を組み付け構築するように構成し、少なくとも前記受板２の前後の前記差し込み係合部８の形状を異ならせると共に、前後に配設する前記支柱１の差し込み端部７の形状をこれに対応して前後で異ならせて、受板２の各差し込み係合部８にこれに対応した形状の差し込み端部７を有する支柱１を差し込み立設することで、上側の受板２若しくは天板３を前後逆に配しようとしても前記支柱１の上側の差し込み端部７の形状と差し込み係合部８の形状とが合致しないために差し込めず、前後向きが正しい場合にこの差し込みができ組み付け構築できるように構成し、前記支柱１及び前記受板２の前後の差し込み係合部８に、前記支柱１の差し込み端部７と前記受板２の差し込み係合部８との対応関係を示して各支柱１の差し込み位置を識別させる差し込み対応関係表示９を樹脂成形により表出する溝，孔，凹部若しくは凸部で形成したことを特徴とする引き出し式収納ケースに係るものである。
【００１４】
また、前記支柱１の上側の差し込み端部７の形状と下側の差し込み端部７の形状を同一に設定すると共に、この各差し込み端部７が差し込まれる前記受板２の上面側の差し込み係合部８と裏面側の差し込み係合部８の形状を同一に設定したことを特徴とする請求項１記載の引き出し式収納ケースに係るものである。
【００１５】
また、前記受板２の中央開口部６の縁部にランナー部10を設けて、この中央開口部６内に架設状態に前記支柱１を複数並設状態に設け、前記ランナー部10は、前記中央開口部６の縁部から先端側程径小となる膨出状態に突出する形状に設定した膨出先端部10Ａで構成し、この膨出先端部10Ａから直接若しくは更に先端側程径小となる小突起状の小ランナー部10Ｂを介して前記支柱１に溶融樹脂が支柱用キャビティーに注入され支柱１が受板２と同時に樹脂成形されるように構成し、このランナー部10を前記膨出先端部10Ａにより構成したことで、前記支柱１を回動させることでこの膨出先端部10Ａ若しくは膨出先端部10Ａに設けた小ランナー部10Ｂの先端から切断分離され、この膨出先端部10Ａ又は膨出先端部10Ａ及び小ランナー部10Ｂを前記受板２の中央開口部６の縁部に残したまま各支柱１を取り外せるように構成したことを特徴とする請求項１記載の引き出し式収納ケースに係るものである。
【００１６】
また、前記受板２の前後のいずれか一方の前記差し込み係合部８、及びこれに差し込んで立設する支柱１に、夫々同じ図形若しくは数字である前記差し込み対応関係表示９を形成したことを特徴とする請求項１，２のいずれか１項に記載の引き出し式収納ケースに係るものである。
【００１７】
また、前記受板２の前記差し込み端部７が前記差し込み係合部８内に差し込まれ、差し込み端部７は差し込み係合部８内に隠れるように構成し、前記差し込み対応関係表示９を前記差し込み係合部８の底部及び前記差し込み係合部８内に隠れる前記差し込み端部７に形成したことを特徴とする請求項１〜４のいずれか１項に記載の引き出し式収納ケースに係るものである。
【発明の効果】
【００１８】
本発明は上述のように構成したから、支柱や差し込み係合部の形状を前後で異ならせ、支柱の差し込み端部もこれに対応させてすべて同一形状とせず、前後では異なる形状とし、そして、その対応関係がわかるように差し込み対応関係表示を樹脂成形によって形成して、この差し込み対応関係表示を確認しながら、その対応する受板の差し込み係合部に差し込んで立設すれば、その支柱上端部の差し込み端部に受板の差し込み係合部を差し込んで受板を組み付けると常に正しい向きに組み付けでき、誤って逆向きに組み付けようとしても組み付けできないようにして、簡易な構成で効率良く支柱及び差し込み対応関係表示を形成でき、受板の向きを間違えることも確実にして容易に防止できる画期的な引き出し式収納ケースとなる。
【００１９】
また、請求項２記載の発明においては、受板の向きを間違えて組み付けることを一層確実にして容易に防止できる優れた引き出し式収納ケースとなる。
【００２０】
また、請求項３記載の発明においては、支柱を手で回すなどして簡単に取り外しでき、またこの取り外した支柱側にランナー部やバリが残りにくく、支柱を差し込み操作する際に操作の妨げとなるようなこのランナー部やバリがなく組み付け操作が極めてスムーズに行える一層優れた引き出し式収納ケースとなる。
【００２１】
また、請求項４，５記載の発明においては、容易に識別でき、使用時には目立つことない差し込み対応関係表示を容易に形成できる一層優れた引き出し式収納ケースとなる。
【図面の簡単な説明】
【００２２】
【図１】本実施例の斜視図である。
【図２】本実施例の分解斜視図である。
【図３】本実施例の受板の組み立て前の斜視図である。
【図４】本実施例の受板の組み立て前の平面図である。
【図５】本実施例の図４に示すＡ−Ａ線断面図である。
【図６】本実施例の図４に示すランナー部の拡大平面図である。
【図７】本実施例の図４に示すランナー部の拡大側面図である。
【図８】本実施例の支柱を分離した際の分離部分の拡大説明斜視図である。
【図９】本実施例の受板の上面側の差し込み係合部の拡大説明斜視図である。
【発明を実施するための形態】
【００２３】
好適と考える本発明の実施形態を、図面に基づいて本発明の作用を示して簡単に説明する。
【００２４】
受板２の中央開口部６に同時形成されている支柱１を取り外し、この支柱１の差し込み対応関係表示９を確認してこの差し込み対応関係表示９に対応する受板２の差し込み係合部８に支柱１の下端の差し込み端部７を差し込み立設する。
【００２５】
このように各支柱１を受板２に立設することで、この支柱１の上端の差し込み端部７を受板２若しくは天板３の差し込み係合部８に差し込み組み付けることで、この受板２若しくは天板３の向きは常に正しく組み付けられる。
【００２６】
即ち、もし受板２や天板３の向きを前後逆向きに組み付けようとしても、支柱１の上端の差し込み端部７は受板２や天板３の裏面の差し込み係合部８に差し込むことができない構成（形状設定）となっているため組み付けができないことから、向きが間違っていることに気付き、正しい向きに向き直して組み付け係合することになり、誤って組み付けてから、支柱を抜き外す厄介な作業を要するような逆向き取り付けを確実にして容易に防止できることとなる。
【実施例】
【００２７】
本発明の具体的な実施例について図面に基づいて説明する。
【００２８】
前後左右の四隅に設けた支柱１を介して受板２を上下複数段設け、更に前記支柱１を介して最上部に天板３を設けた構成の本体部４と、この本体部４の前記受板２間と受板２と天板３との間に引き出し自在に設けた引き出しケース５とから成る構成で、前記受板２の中央開口部６に、四本の前記支柱１を分離自在にこの受板２と同時成形し、この受板２と同時成形された支柱１をこの受板２の中央開口部６から取り外し、この支柱１の下側の差し込み端部７を前記受板２上面側の差し込み係合部８に差し込み、上側の差し込み端部７をこの受板２の上側に配設する上側の受板２若しくは前記天板３の裏面側の差し込み係合部８に差し込み前記本体部４を組み付け構築するように構成している。
【００２９】
本実施例では、受板２上面に引き出しガイド部11を設けると共に、後側端部にストッパー部12を設けた構成で、この受板２の四隅に角筒状の連結筒を一体成形し、この連結筒の途中に底部を形成して、上面側と裏側に前記支柱１のこれと同形に形成した差し込み端部７を内側に差し込む差し込み係合部８を設けている。
【００３０】
即ち、本実施例では、支柱１の上面側の差し込み係合部８とその裏面側の差し込み係合部８とを同形とすると共に、これに差し込み係止する支柱１の下端の差し込み端部７も上端の差し込み端部７も同形とした構成としている。
【００３１】
また、この差し込み係合部８とこの内側に差し込む差し込み端部７には、係止部とこれが係合する係止孔とを設け、この係止により抜け止め係止されるように構成している。
【００３２】
本実施例では、少なくともこのように受板２の前後の差し込み係合部８の形状を異ならせると共に、前後に配設する前記支柱１の差し込み端部７の形状をこれに対応して前後で異ならせて、受板２の各差し込み係合部８にこれに対応した形状の差し込み端部７を有する支柱１を差し込み立設することで、上側の受板２若しくは天板３を前後逆に配しようとしても前記支柱１の上側の差し込み端部７の形状と差し込み係合部８の形状とが合致しないために差し込めず、前後向きが正しい場合にこの差し込みができ組み付け構築できるように構成している。
【００３３】
具体的には、本実施例では、前後の一方側、具体的には左右前側の差し込み係合部８及びこれに対応する差し込み端部７はいずれも方形形状とし、左右後側を角形とせず左右で対称形のＲ形状を有する変形形状（略Ｄ形形状）に設定している。
【００３４】
即ち、受板２の前後左右の差し込み係合部８のうち、前側左右の差し込み係合部８は同一形状としいずれもＲ形状を有しない単なる方形形状の角孔の差し込み係合部８とし、後側の左右の差し込み係合部８は同一形状でなく左右対称形状でＲ形状を有する変形形状（Ｄ形形状）に設定し、方形形状の角孔差し込み係合部８に差し込む差し込み端部７は前記Ｒ形状を有する変形形状（Ｄ形状）には差し込めないように構成している。
【００３５】
また、本実施例では、ユーザーが組み付け構築し易いように、前述のように支柱１の上側の差し込み端部７の形状と下側の差し込み端部７の形状を同一に設定すると共に、この各差し込み端部７が差し込まれる前記受板２の上面側の差し込み係合部８と裏面側の差し込み係合部８の形状を同一に設定している。
【００３６】
従って、本実施例では、前側の左右を共通とし、前側の支柱１（２本）と、後側の右側支柱１と後側の左側支柱１との３種類合計４本の支柱１を、その受板２の中央開口部６スペースを利用して受板２と共に同時成形し、組み付け構築する際にこれら支柱１を取り外して順次受板２に差し込み係止して構築するように構成している。
【００３７】
また、受板２の上面側及び受板２及び天板３の裏面側の差し込み係合部８の形状もこの支柱１の形状に夫々合致するように３種類とし、前述のように上面側もその裏面側も同一形状とし、前側の左右については同一の方形形状とし、後側の右側の差し込み係合部８と左側の差し込み係合部８とは向きが１８０度異なったＲ形状を有するＤ形形状として、受板２の各差し込み係合部８にこれに対応した形状の差し込み端部７を有する支柱１を差し込み立設することで、上側の受板２若しくは天板３を前後逆に配しようとしても前記支柱１の上側の差し込み端部７の形状と差し込み係合部８の形状とが合致しないために差し込めず、前後向きが正しい場合にこの差し込みができ組み付け構築できるように構成している。
【００３８】
また、前記支柱１及び前記受板２の前後の差し込み係合部８に、前記支柱１の差し込み端部７と前記受板２の差し込み係合部８との対応関係を示して各支柱１の差し込み位置を識別させる差し込み対応関係表示９を樹脂成形により表出する溝，孔，凹部若しくは凸部で形成している。
【００３９】
具体的には、前記受板２の前後のいずれか一方の前記差し込み係合部８、及びこれに差し込んで立設する支柱１に、夫々同じ図形若しくは数字である前記差し込み対応関係表示９を形成している。
【００４０】
更に本実施例では、前述のように前記受板２の前記差し込み端部７が前記差し込み係合部８内に差し込まれ、差し込み端部７は差し込み係合部８内に隠れるように構成し、前記差し込み対応関係表示９を前記差し込み係合部８の底部及び前記差し込み係合部８内に隠れる前記差し込み端部７に形成し、組み付けに際して識別し易く、且つ隠れる位置に表示して目立たないようにしている。
【００４１】
例えば、本実施例では３種類の形状に異ならせているため、前側左右の差し込み係合部８とこれに差し込む支柱１の上側及び下側の差し込み端部７に数字１を溝により形成し、後側の右側，左側の差し込み係合部８及びこれに差し込む差し込み端部７には夫々数字２，３を溝により表示形成している。
【００４２】
また、本実施例では、前記受板２の中央開口部６の縁部にランナー部10を設けて、この中央開口部６内に架設状態に前記支柱１を複数並設状態に設け、前記ランナー部10は、前記中央開口部６の縁部から先端側程径小となる膨出状態に突出する形状に設定した膨出先端部10Ａで構成し、この膨出先端部10Ａから更に先端側程径小となる小突起状の小ランナー部10Ｂを介して前記支柱１に溶融樹脂が支柱用キャビティーに注入され支柱１が受板２と同時に樹脂成形されるように構成している。
【００４３】
このランナー部10を前記膨出先端部10Ａにより構成したことで、中央開口部６の縁部と支柱１の端部とを離間させながらもこのランナー部10が必ず縁部側に残るように構成している。
【００４４】
即ち、前記支柱１を回動させることでこの膨出先端部10Ａ若しくは膨出先端部10Ａに設けた小ランナー部10Ｂの先端から切断分離され、この膨出先端部10Ａ及び小ランナー部10Ｂを前記受板２の中央開口部６の縁部に残したまま各支柱１を取り外せるように構成している。
【００４５】
更に説明すると、中央開口部６スペースを利用して四本の支柱１をランナー部10を介して受板２と共に同時形成するが、成形後支柱１を取り外し操作し易いように、中央開口部６と支柱１との間隔を保つものの、支柱１のゲート部分を近づけるために、ランナー部10として膨出先端部10Ａを形成するが、この膨出先端部10Ａを先端側程径大となる膨出形状とすることで、支柱１を取り外す際にこの支柱１を回動する際に伝わるねじれ強度を大きくしてこの膨出先端部10Ａがバリとして支柱１の方に残らずに中央開口部６の縁部に残るようにしている。
【００４６】
具体的には膨出先端部10Ａを円弧状に盛り出たような形状とし、更にはその突出縁に円弧状にリブ13を形成して、その剛性を高め、ねじれ強度を大きくし、支柱１へのゲート部分（突出するランナー部10）が支柱１に近づくようにしつつねじれ強度を上げて、決して支柱１のバリとしてこのゲート部分（ランナー部10）が支柱１と一緒に取り去られないようにしている。
【００４７】
しかも本実施例では更にこの膨出先端部10Ａの突出先端部に先端側程径小な小ランナー部10Ｂを設けて、この小ランナー部10Ｂを介して支柱１に溶融樹脂を送り込むようにしているため、非常に支柱１を回し取り易く、バリが残らずきれいに取り外せるようにしている。
【００４８】
即ち、この大きな膨出先端部10Ａはねじれ強度を高めて中央開口部６の縁部との接合強度を高くすることで、この膨出先端部10Ａは縁部から取り外れず必ず縁部に残るように構成して、たとえバリが出るとしてもこれよりも極めて径小で短い小ランナー部10Ｂとしている。
【００４９】
しかも本実施例では、この小ランナー部10Ｂも小さく短い形状ながらも膨出先端部10Ａ側が太く、支柱１先端面側を細くしているため、この小ランナー部10Ｂも膨出先端部10Ａ側に残り支柱１と共に外れてバリとならないように構成し、支柱１を手で回し易くすると共に、確実に全くバリが生じずきれいに手で回し取れるようにしている。
【００５０】
尚、本発明は、本実施例に限られるものではなく、各構成要件の具体的構成は適宜設計し得るものである。
【符号の説明】
【００５１】
１  支柱
２  受板
３  天板
４  本体部
５  引き出しケース
６  中央開口部
７  差し込み端部
８  差し込み係合部
９  差し込み対応関係表示
10  ランナー部
10Ａ  膨出先端部
10Ｂ  小ランナー部
【図１】
2014144143.tif 000003
【図２】
2014144143.tif 000004
【図３】
2014144143.tif 000005
【図４】
2014144143.tif 000006
【図５】
2014144143.tif 000007
【図６】
2014144143.tif 000008
【図７】
2014144143.tif 000009
【図８】
2014144143.tif 000010
【図９】
2014144143.tif 000011